(57)【要約】【課題】断線とコストアップとを避けつつ、スピーカと音声回路とをリード線で接続できる液晶テレビジョンを提供する。【解決手段】液晶パネル背面に配置されたアナログ基板Ａの下端と、キャビネットの液晶パネルより下に配置されるセンサ基板とを接続するケーブル６０ｃにて、音声信号をセンサ基板Ｄに伝送する。ケーグル６０ｃは予めＵＬチューブで覆われており、右架橋フレーム５２ｂの下辺橋脚部分５２ｂ３のコ字型の内部を通して接続される。そしてセンサ基板Ｄ上のパターンによりコネクタ６１ａ，６１ｂにリード線で接続されるスピーカ５３ａ，５３ｂに音声信号が伝送される。【選択図】図４
2008078745.tif 000002
【特許請求の範囲】
【請求項１】
映像信号に基づく映像を表示面に表示する液晶パネルと、
上記液晶パネルの背面に配置されて入力される音声信号に所定の信号処理を施して出力する基板と、
上記表示面を前方に露見させる略矩形の穴を有しつつ上記液晶パネルと上記基板とを内部に収容するキャビネットと、
上記液晶パネルの上辺と上記キャビネットとに固定される上固定板金と、
上記液晶パネルの下辺と上記キャビネットとに固定される下固定板金と、
板金のプレス加工により上下に長く形成されて、左右にオフセットした位置にそれぞれ配されて上記上固定板金と上記下固定板金に固定される左架橋フレームおよび右架橋フレームと、
上記キャビネットにおいて上記液晶パネルの下方に固定され、リモコン信号の受信回路が形成されて該リモコン信号を上記基板の第一コネクタに伝送する所定のケーブルが接続されるセンサ基板と、
上記キャビネットの上記液晶パネルの下方であり、かつ上記左架橋フレームおよび右架橋フレームよりも左右外方にそれぞれ配置固定されて上記音声信号に基づく音声を出力する左スピーカおよび右スピーカと、
を備える液晶テレビジョンにおいて、
上記左架橋フレームと上記右架橋フレームは、上記板金をコ字型に折り曲げるとともに、上下の端部がハット状に外側にさらに折り曲げられた鍔部が形成されることによりコ字型とした奥行き方向を深く形成された上辺橋脚部と下辺橋脚部、およびコ字型とした奥行き方向を浅く形成された橋梁部分とが形成され、
上記左架橋フレームと上記右架橋フレームの少なくとも一方は、少なくとも基板の左右側端の何れかもしくは該左右側端よりも外方を上下に横切り、
上記基板の下隅の何れかを含んだ位置に電源回路が形成され、
上記電源回路の形成されない上記基板の下隅に音声アンプが配置され、
上記第一コネクタは上記音声アンプの配置された側の下隅に配置され、
上記音声アンプから上記第一コネクタに音声信号を伝送するパターンが上記基板に形成され、該音声信号を上記所定のケーブルを介して上記センサ基板に出力し、
上記センサ基板は、上記所定のケーブルが接続される第二コネクタと、上記左スピーカと右スピーカにそれぞれ接続される左音声出力コネクタと右音声出力コネクタと、該第二コネクタから出力される音声信号を該左音声出力コネクタと該右音声出力コネクタとにそれぞれ伝送するパターンとを有し、
上記所定のケーブルはＵＬチューブで覆われて上記音声アンプの配置される側に対応する架橋フレームの下辺橋脚部のコ字型内部を通して上記第二コネクタと接続されており、
上記左音声出力コネクタと上記右音声出力コネクタにそれぞれ接続されるリード線により上記センサ基板から上記右スピーカおよび左スピーカに音声信号が伝送されることを特徴とする液晶テレビジョン。
【請求項２】
映像信号に基づく映像を表示面に表示する液晶パネルと、
上記液晶パネルの背面に配置されて入力される音声信号に所定の信号処理を施して出力する基板と、
上記表示面を前方に露見させる略矩形の穴を有しつつ上記液晶パネルと上記基板とを内部に収容するキャビネットと、
上記液晶パネルの背面の少なくとも一部を覆いつつ上記キャビネットに対して該液晶パネルを固定する固定板金と、
板金のプレス加工により上下に長く形成されて、左右にオフセットした位置にそれぞれ配されて上記固定板金に固定される左架橋フレームおよび右架橋フレームと、
上記キャビネットにおいて上記液晶パネルの下方に固定され、リモコン信号の受信回路が形成されて該リモコン信号を上記基板のコネクタに伝送するケーブルが接続されるセンサ基板と、
上記キャビネットの上記液晶パネルの下方であり、かつ上記左架橋フレームおよび上記右架橋フレームよりもそれぞれ左右外方にそれぞれ配置固定されて上記音声信号に基づく音声を出力する左スピーカおよび右スピーカと、を備える液晶テレビジョンにおいて、
上記ケーブルは保護チューブで覆われており、
上記左架橋フレームおよび上記右架橋フレームの少なくとも一方は、少なくとも基板の左右側端の何れかもしくは該左右側端よりも外方を上下に横切り、
上記基板の下隅の何れかを含んだ位置に電源回路が形成され、
上記コネクタは上記電源回路の形成されない下端に配置され、
上記コネクタに音声信号を伝送するパターンが上記基板に形成され、該音声信号を上記ケーブルを介して上記センサ基板に出力し、
リード線により上記センサ基板から上記右スピーカおよび左スピーカに音声信号が伝送されることを特徴とする液晶テレビジョン。
【発明の詳細な説明】
【技術分野】
【０００１】
本発明は、液晶テレビジョンに関し、特に、液晶パネル背面に音声信号処理回路が形成された基板が配置され、該液晶パネル背面上を上下に横切る金属製のフレームを有する液晶テレビジョンに関する。
【背景技術】
【０００２】
テレビジョンでは、音声信号処理回路で音声信号を生成し、キャビネットに取り付けたスピーカにこの音声信号を出力して音声を再生する。このとき、基板とスピーカとは、基板上に設けられたコネクタとスピーカとをリード線により接続されており、このリード線で音声信号が伝送されていた（例えば特許文献１等。）。
この基板とスピーカの接続において作業性を向上するために、基板上にアウトレットプラグを設けるとともに、このアウトレットプラグに嵌合するコネクタをキャビネットに設け、コネクタに予めスピーカをリード線により接続しておくことにより、基板をキャビネットに配置する際にアウトレットプラグとコネクタとが接続されるようにする技術が知られている（例えば特許文献２等。）。
また、接続における省スペース化コスト削減及び工数の削減を図る技術として、フレキシブル基板上に、液晶パネルやスピーカに電気的に接続された複数のコネクタ端子群をコネクタ部分に形成し、外部機器やドライバなどに接続するコネクタを１つで済ませる技術が知られている（例えば特許文献３等。）。
また、ケーブルを配線経路上で固定するために、キャビネットの一方に複数のリブ片を設け、他方にこのリブと嵌合する嵌合部を設け、ケーブルをリブ間でジグザグ状に通過させてから嵌合部をリブ片に嵌合させる技術が知られている（例えば特許文献４等）。
【特許文献１】特開平９−３２７０８３号公報
【特許文献２】実開昭６３−７４８７３号公報
【特許文献３】特開２００５−２８４０５３号公報
【特許文献４】特開２００５−１３００９７号公報
【発明の開示】
【発明が解決しようとする課題】
【０００３】
しかしながら、液晶テレビジョンは、ブラウン管テレビジョンやプラズマテレビジョンに比べてリード線を引き回すスペースが少なく、電源回路（特に一次側）からの沿面距離や、部品エッジとの干渉を考慮しなければならず、配線経路の選定が大変であった。以下、従来の液晶テレビジョンにおけるリード線の配線について説明する。
【０００４】
図７は従来の小型の液晶テレビジョン１のリアキャビネットを外してキャビネット内部を示した背面図である。従来の液晶テレビジョンでは、図７のように基板とスピーカが接続されていた。
【０００５】
同図において、液晶パネル２が表示面をフロントキャビネット１ａに向けて戴置されている。液晶パネル２は、上下左右側面と背面を金属製のケースで覆われており、背面に各種基板が戴置固定されている。またフロントキャビネット１ａは、下方に液晶パネル２が配置されないスペースを有し、このスペースの左右に左スピーカ６と右スピーカ７が取り付けられ、中央部にセンサ基板５が取り付けられる。センサ基板５はリモコン信号受光回路や液晶テレビジョン１の状態を知らせるＬＥＤ等を有する。
【０００６】
液晶パネル２背面には、デジタル基板３とアナログ基板４が戴置される。アナログ基板４は上方に四角い切り欠き部を有する凹字型をしており、切り欠き部分に合わせて略矩形のデジタル基板３が配置される。デジタル基板３には、デジタル映像信号処理回路が搭載され、処理後の映像信号が上端のＬＶＤＳ端子から液晶パネルに出力される。また、アナログ基板４には、右側部から右上部にかけてインバータ回路４ａが形成され、右下部に電源回路４ｂが形成され、中央部から左側部にはチューナ４ｄを含むチューナ回路や音声アンプ４ｆを含む音声信号処理回路、ジャック４ｃを含む入出力回路等のアナログ信号処理回路４ｅが形成される。
【０００７】
音声アンプ４ｆから出力された音声信号は、アナログ基板４上に形成されたパターンによりそれぞれ右ｃｈがコネクタ７ａとリード線７ｂを介してスピーカ７へ、左ｃｈがコネクタ６ａとリード線６ｂを介して左スピーカ６へ出力される。このときリード線６ｂは電源回路４ｂに近づくため、沿面距離確保のためのＵＬチューブが取り付けられる。このＵＬチューブは、難燃性ゴムのチューブであり、１本当たり約０．２米ドルのコストアップとなっていた。
【０００８】
即ち、電源回路４ｂは、他の回路との沿面を減少するとともに液晶テレビジョン１全体の重量バランスをとる必要がある為、下側端に沿って形成される。従って、アナログ基板４のどの位置からリード線を引き出しても電源回路４ｂの近傍を通過することになり、ＵＬチューブを使用せざるを得ず、コストアップが避けられなかった。このような課題をは、上述した特許文献１〜４の技術では解決出来なかった
【０００９】
本発明は、上記課題に鑑みてなされたもので、キャビネット内部において、スピーカと音声回路とをリード線で接続したとき、その接続経路上にシャープエッジを有する部品や沿面距離の確保を要する電源回路が存在する場合であっても、これらに影響されないように、かつコストアップを避けつつ接続することが可能な液晶テレビジョンの提供を目的とする。
【課題を解決するための手段】
【００１０】
上記課題を解決するために、本発明の液晶テレビジョンでは、映像信号に基づく映像を表示面に表示する液晶パネルと、上記液晶パネルの背面に配置されて入力される音声信号に所定の信号処理を施して出力する基板と、上記表示面を前方に露見させる略矩形の穴を有しつつ上記液晶パネルと上記基板とを内部に収容するキャビネットと、上記液晶パネルの背面の少なくとも一部を覆いつつ上記キャビネットに対して該液晶パネルを固定する固定板金と、板金のプレス加工により上下に長く形成されて、左右にオフセットした位置にそれぞれ配されて上記固定板金に固定される左架橋フレームおよび右架橋フレームと、上記キャビネットにおいて上記液晶パネルの下方に固定され、リモコン信号の受信回路が形成されて該リモコン信号を上記基板のコネクタに伝送するケーブルが接続されるセンサ基板と、上記キャビネットの上記液晶パネルの下方であり、かつ上記左架橋フレームおよび上記右架橋フレームよりもそれぞれ左右外方にそれぞれ配置固定されて上記音声信号に基づく音声を出力する左スピーカおよび右スピーカと、を備える液晶テレビジョンにおいて、上記ケーブルは保護チューブで覆われており、上記左架橋フレームおよび上記右架橋フレームの少なくとも一方は、少なくとも基板の左右側端の何れかもしくは該左右側端よりも外方を上下に横切り、上記基板の下隅の何れかを含んだ位置に電源回路が形成され、上記コネクタは上記電源回路の形成されない下端に配置され、上記コネクタに音声信号を伝送するパターンが上記基板に形成され、該音声信号を上記ケーブルを介して上記センサ基板に出力し、リード線により上記センサ基板から上記右スピーカおよび左スピーカに音声信号が伝送される構成としてある。
【００１１】
この構成により、従来保護ケーブルにより覆われていた上記ケーブルによって音声信号が上記センサ基板に伝送され、保護ケーブルに覆われる必要の無い経路を通過するリード線により該センサ基板から上記右スピーカおよび上記左スピーカに音声信号が伝送される。上記ケーブルは予め一本にまとめられたものであってもよいし、複数のケーブルをまとめたものであっても良い。上記保護チューブとは、難燃性のチューブであり、チューブの外部と内部とを電気的に絶縁したり、チューブの内部を断線から保護するためのものである。
【００１２】
即ち、上記基板のコネクタと上記センサ基板とを接続するケーブルは保護チューブで覆われているため、上記左架橋フレームもしくは上記右架橋フレームにより切断されることは無い。一方、上記左架橋フレームもしくは上記右架橋フレームは上記液晶パネルよりも背面側に位置し、上記センサ基板は上記液晶パネルよりも前面側に位置するため、上記センサ基板からスピーカに接続された上記リード線は、上記左架橋フレームもしくは上記右架橋フレームと干渉することは無く、従って上記リード線を保護チューブで覆う必要は無い。つまり、本来信号伝送の為に必要であり、かつ保護チューブで覆う必要のあった上記ケーブルを介して音声信号を上記センサ基板に伝送するため、新たに保護チューブを必要とせず、コストアップの心配が無い。
【００１３】
また、上記目的を達成するためのより具体的な液晶テレビジョンの構成として、映像信号に基づく映像を表示面に表示する液晶パネルと、上記液晶パネルの背面に配置されて入力される音声信号に所定の信号処理を施して出力する基板と、上記表示面を前方に露見させる略矩形の穴を有しつつ上記液晶パネルと上記基板とを内部に収容するキャビネットと、上記液晶パネルの上辺と上記キャビネットとに固定される上固定板金と、上記液晶パネルの下辺と上記キャビネットとに固定される下固定板金と、板金のプレス加工により上下に長く形成されて、左右にオフセットした位置にそれぞれ配されて上記上固定板金と上記下固定板金に固定される左架橋フレームおよび右架橋フレームと、上記キャビネットにおいて上記液晶パネルの下方に固定され、リモコン信号の受信回路が形成されて該リモコン信号を上記基板の第一コネクタに伝送する所定のケーブルが接続されるセンサ基板と、上記キャビネットの上記液晶パネルの下方であり、かつ上記左架橋フレームおよび右架橋フレームよりも左右外方にそれぞれ配置固定されて上記音声信号に基づく音声を出力する左スピーカおよび右スピーカと、を備える液晶テレビジョンにおいて、上記左架橋フレームと上記右架橋フレームは、上記板金をコ字型に折り曲げるとともに、上下の端部がハット状に外側にさらに折り曲げられた鍔部が形成されることによりコ字型とした奥行き方向を深く形成された上辺橋脚部と下辺橋脚部、およびコ字型とした奥行き方向を浅く形成された橋梁部分とが形成され、上記左架橋フレームと上記右架橋フレームの少なくとも一方は、少なくとも基板の左右側端の何れかもしくは該左右側端よりも外方を上下に横切り、上記基板の下隅の何れかを含んだ位置に電源回路が形成され、上記電源回路の形成されない上記基板の下隅に音声アンプが配置され、上記第一コネクタは上記音声アンプの配置された側の下隅に配置され、上記音声アンプから上記第一コネクタに音声信号を伝送するパターンが上記基板に形成され、該音声信号を上記所定のケーブルを介して上記センサ基板に出力し、上記センサ基板は、上記所定のケーブルが接続される第二コネクタと、上記左スピーカと右スピーカにそれぞれ接続される左音声出力コネクタと右音声出力コネクタと、該第二コネクタから出力される音声信号を該左音声出力コネクタと該右音声出力コネクタとにそれぞれ伝送するパターンとを有し、上記所定のケーブルはＵＬチューブで覆われて上記音声アンプの配置される側に対応する架橋フレームの下辺橋脚部のコ字型内部を通して上記第二コネクタと接続されており、上記左音声出力コネクタと上記右音声出力コネクタにそれぞれ接続されるリード線により上記センサ基板から上記右スピーカおよび左スピーカに音声信号が伝送される構成としてある。
【発明の効果】
【００１４】
以上説明したように本発明によれば、従来保護ケーブルにより覆われていた上記ケーブルによって音声信号が上記センサ基板に伝送され、保護ケーブルに覆われる必要の無い経路を通過するリード線により該センサ基板から上記右スピーカおよび上記左スピーカに音声信号が伝送される。よってコストを抑えた液晶テレビジョンを提供することが出来る。
【発明を実施するための最良の形態】
【００１５】
以下、下記の順序に従って本発明の実施形態を説明する。
（１）液晶テレビジョンの構成：
（２）音声回路とスピーカの接続：
（３）まとめ：
【００１６】
（１）液晶テレビジョンの構成： 
【００１７】
図１は、本発明の実施形態にかかる液晶テレビジョン１００の概略構成を示したブロック図である。液晶テレビジョン１００は、概略、アンテナ１０ａの接続されたチューナ回路１０と、音声信号処理回路１２と、入出力回路１３と、電源回路１４と、インバータ回路１６と、バックライト１８と、マイコン２０と、映像信号処理回路２２と、液晶パネル２４と、赤外線受光回路２６とから構成される。
【００１８】
この構成においてマイコン２０は、液晶テレビジョン１００を構成する各部と電気的に接続しており、マイコン２０内部の構成部品としてのＣＰＵが、同じくマイコン２０内の構成部品であるＲＯＭやＲＡＭなどに書き込まれた各プログラムに従って、液晶テレビジョン１００全体を制御する。なお、ＣＰＵやＲＯＭやＲＡＭについては図示を省略している。
【００１９】
チューナ回路１０は、マイコン２０の制御によりアンテナ１０ａからテレビ放送を受信し、所定の信号増幅処理等を行いつつ、テレビ放送信号から中間周波信号としての映像信号と音声信号を抽出し、映像信号を映像信号処理回路２２に出力するとともに音声信号を音声信号処理回路１２に出力する。音声信号処理回路１２は、チューナ回路１０にて生成された音声信号にマイコン２０からの指示に基づいて所定の増幅を行い、増幅した音声信号をスピーカ５３ａ，５３ｂを介して音声として出力する。
【００２０】
映像信号処理回路２２は、入力された映像信号をその信号レベルに応じてデジタル化して、デジタル化された映像信号から輝度信号と色差信号とを抽出する。そして、マトリクス変換処理を行って画像データとしてのＲＧＢ（レッド、グリーン、ブルー）信号を再生する。また、映像信号処理回路２２は、連続するインターレース形式の映像信号をプログレッシブ形式の映像信号に変換し、ＲＧＢ信号に対して液晶パネル２４の画素数（横縦比、ｍ：ｎ）に合わせたスケーリング処理を行い、液晶パネル２４に表示する１画面分の画像データを生成する。そして、生成された画像データに基づいてパネル駆動信号を出力し、画素の配列により構成された液晶パネル２４の各画素を駆動して液晶パネル２４の画面に画像データに基づく映像を表示させる。
【００２１】
入出力回路１３には外部入力や外部出力もしくは外部入出力を行う複数の端子１３ａが接続されている。具体的には、アナログのコンポジット信号が入出力される端子や音声信号が入出力される端子が接続される。無論、コンポーネント信号やＳビデオ信号が入力される端子やＳ／ＰＤＩＦ端子等を備えても構わない。入出力回路１３に外部から入力された映像／音声信号は、映像信号処理回路２２と音声信号処理回路１２に出力される。また入出力回路１３には映像信号処理回路２２と音声信号処理回路１２から映像信号や音声信号が供給され、入出力回路１３の外部出力を行う端子に接続されたケーブルを介して外部機器に出力される。
【００２２】
電源回路１４は、外部の商用電源等から電源電圧（交流）の供給を受けるとともに、同供給された電源電圧から各種電圧を生成し、マイコン２０やインバータ回路１６等、各回路へ供給する。電源回路１４は、必要に応じて各回路へ供給する電圧を交流から直流へと変換する。
インバータ回路１６は、電源回路１４から供給された直流電圧を高周波の交流電圧に変換し、駆動信号としてバックライト１８に供給し、バックライト１８を点灯させる。これによりバックライト１８は、液晶パネル２４を背面から照射する光源の役割を果たす。
【００２３】
赤外線受光回路２６は、リモコン２６ａから送信される赤外線リモコン信号を受信し、受信した信号に対応する制御信号を生成してマイコン２０に出力する。リモコン２６ａは操作を受け付ける複数のキーと、赤外線信号を赤外線受光回路２６に向けて送信する赤外線送信回路とを有し、同複数のキーの操作に応じた赤外線信号を所定のフォーマットで送出する。無論、リモコン信号は赤外線信号に限らず、無線信号であれば様々なものを適用可能である。この赤外線受光回路２６がリモコン信号を受信する受信回路に相当する。
【００２４】
アナログ基板Ａにはチューナ回路１０と音声信号処理回路１２と電源回路１４が形成され、デジタル基板Ｂにはマイコン２０と映像信号処理回路２２が形成され、インバータ基板Ｃにはインバータ回路が形成され、赤外線受光回路２６はセンサ基板Ｄに形成される。  次に、本実施形態にかかる液晶テレビジョン１００の構造について説明する。図２は、液晶テレビジョン１００を斜め前方より見た斜視図、図３は液晶テレビジョン１００のリアキャビネットを外して背面より見た平面図である。
【００２５】
図２において、液晶テレビジョン１００は、キャビネット５０と液晶パネル２４と脚部５１とから構成されている。キャビネット５０はフロントキャビネットとリアキャビネットにより構成され、両者が合わさって液晶テレビジョン１００の略全体を覆う構造となる。フロントキャビネットは略矩形のビューエリアを有し、このビューエリアから液晶パネル２４表示面が前面側に露見させている。脚部５１は、液晶パネル２４の表示面が略鉛直に配向するようにキャビネット５０を支持している。
【００２６】
フロントキャビネット内部の液晶パネル２４下には、幅方向の外側位置に左右一対のスピーカ５３ａ、５３ｂが取り付けられる。フロントキャビネットにおいて、このスピーカ５３ａ、５３ｂが取り付けられる位置の裏面には複数の小穴から成るスピーカ用穴５０ａ，５０ｂが形成され、スピーカ５３ａ、５３ｂから出力される音声の透過を容易とする。  液晶パネル２４は、背面を金属製のシールドパネルで覆われており、このシールドパネルと液晶パネル２４の間にバックライト１８が配置される。バックライト１８は蛍光管やＬＥＤなどの発光素子から成り、液晶パネル２４を背面から照射して映像を画面に表示させる。シールドパネルの背面側には、基板Ａ〜Ｃが配置固定される。
【００２７】
また、フロントキャビネット内部の液晶パネル２４下において、スピーカ５３ａ、５３ｂの間にはセンサ基板Ｄが配置されている。このセンサ基板Ｄの基板面と、シールドパネル背面に配置される基板Ａ〜Ｄの基板面とでは、液晶パネル２４の厚み分だけ前後にずれている。
【００２８】
液晶パネル２４は上固定板金５４ａと下固定板金５４ｂと架橋フレーム５２ａ，５２ｂとでキャビネット５０に固定されている。上固定板金５４ａは、液晶パネル２４の上面、背面の上端、左右側面の上端、に接する面を有し、左右側面の上端で液晶パネル２４にネジ止めされる。下固定板金５４ｂは、液晶パネル２４の下面、背面の下端、左右側面の下端、に接する面を有し、左右側面の下端で液晶パネル２４にネジ止めされる。そして上固定板金５４ａおよび下固定板金５４ｂからそれぞれ上下に突出された複数の突出面が、キャビネット５０の対応する位置に形成されるネジボスに対し、ネジ止め固定される。左架橋フレーム５２ａと右架橋フレーム５２ｂは、幅方向に所定距離オフセットして平行に左右に一本ずつ上下に配向されて配置され、上端部位にて上固定板金５４ａに、下端部位にて下固定板金５４ｂにそれぞれネジ止め固定されている。即ち、液晶パネル２４は上固定板金５４ａと下固定板金５４ｂによってキャビネットに固定され、上固定板金５４ａと下固定板金５４ｂとが左架橋フレーム５２ａと右架橋フレーム５２ｂにより補強される。以下、左架橋フレーム５２ａと右架橋フレーム５２ｂをまとめて架橋フレーム５２ａ、５２ｂとする。
【００２９】
また、架橋フレーム５２ａ、５２ｂの下端には脚部５１の上端部分がネジ止め固定されており、これにより脚部５１がキャビネット５０とその内部に収容される部材とを支持可能になっている。
【００３０】
以下、架橋フレーム５２ａ、５２ｂの形状を詳説する。
上固定板金５４ａはＬ字型に形成され、液晶パネル２４の上辺から裏面への角にかぶさって固定される。また、液晶パネル２４の上辺に接する側の中央部分と左右両端部から、庇状に折り曲げられた突出面が設けられ、キャビネット５０に上固定板金５４ａを固定するためのネジ穴がそれぞれ設けられる。さらに、液晶パネル２４の上辺から左右両側部へとかぶさるように伸びる突出部にもネジ穴が設けられ、上固定板金５４ａを液晶パネル２４に固定するために用いられる。液晶パネル２４裏面と接する部分には、上固定板金５４ａを略三等分する２箇所の位置に、架橋フレーム５２ａ、５２ｂを固定するためのネジ穴が設けられる。
【００３１】
下固定板金５４ｂも上固定板金５４ａと略同一の形状をしており、液晶パネル２４の下辺から裏面への角にかぶさって固定される。また、液晶パネル２４の下辺に接する側の中央部分と左右両端部から、庇状に折り曲げられた突出面が設けられ、キャビネット５０に下固定板金５４ｂを固定するためのネジ穴がそれぞれ設けられる。さらに、液晶パネル２４の下辺から左右両側部へとかぶさるように伸びる突出部にもネジ穴が設けられ、下固定板金５４ｂを液晶パネル２４に固定するために用いられる。液晶パネル２４裏面と接する部分には、下固定板金５４ｂを略三等分する２箇所の位置に、架橋フレーム５２ａ、５２ｂを固定するためのネジ穴が設けられる。
【００３２】
架橋フレーム５２ａ、５２ｂは、上辺橋脚部５２ａ１，５２ｂ１と橋梁部分５２ａ２，５２ｂ２と下辺橋脚部５２ａ３，５２ｂ３とから成り、橋梁部分５２ａ２，５２ｂ２がアナログ基板Ａを跨ぐ形状なっている。この架橋フレーム５２ａ、５２ｂは、板金をコの字型に折り曲げて作成され、両橋脚部分はハット状に外側にさらに折り曲げられ鍔部が形成される。そして、上辺橋脚部５２ａ１，５２ｂ１と下辺橋脚部５２ａ３，５２ｂ３とはコの字型とした奥行き方向を深くし、橋梁部分５２ａ２，５２ｂ２はコ字型とした奥行き方向を浅く形成する。これにより、橋梁部分５２ａ２，５２ｂ２の桁下高は、基板に設置される基板の部品高よりも高くなっており、基板と干渉せず、かつ、電源回路に対して所定の沿面距離を確保できるように跨ぐ架橋形状となっている。これら架橋フレーム５２ａ、５２ｂは、板金を切断してプレス加工することにより形成される。その際、板金の切断面の面取り等のエッジ処理は行われないため、切断面がシャープエッジとなっている。
【００３３】
以上の構造により、液晶パネル２４の上辺から裏面に掛けて略接触して上固定板金５４ａがフロントキャビネットにネジ止めされ、液晶パネル２４の下辺から裏面に掛けて略接触して下固定板金５４ｂがフロントキャビネットにネジ止めされる。そして二本の架橋フレーム５２ａ、５２ｂが、上固定板金５４ａと下固定板金５４ｂにネジ止め固定され、上下に架橋されて上固定板金５４ａと下固定板金５４ｂを補強する。これら上固定板金５４ａと下固定板金５４ｂと２本の架橋フレーム５２ａ、５２ｂの４つの板金が組み合わさり、フロントキャビネットに対して液晶パネル２４を固定して保持する。
【００３４】
以上の構成により、スピーカ５３ａ，５３ｂ、音声信号処理回路１２の形成されるアナログ基板Ａ、架橋フレーム５２ａ，５２ｂ、がどのような位置関係になるかを説明する。  架橋フレーム５２ａ，５２ｂの少なくとも一方は、少なくともアナログ基板Ａの左右側端の何れかもしくはこの左右側端よりも外方を上下に横切る。そして、スピーカ５３ａは左架橋フレーム５２ａの左外方に、スピーカ５３ｂは右架橋フレーム５２ｂの右外方に配置される。従って、アナログ基板Ａとスピーカ５３ａ，５３ｂとを直接にリード線で接続すると、該リード線の少なくとも一方は、架橋フレーム５２ａ，５２ｂと接触し得る配線となる。
【００３５】
（２）音声回路とスピーカの接続： 
図４は液晶テレビジョン１００のリアキャビネットおよび架橋フレーム５２ａ，５２ｂを取り外して背面より見た背面図である。なお、上固定板金５４ａと下固定板金５４ｂについては記載を省略してある。同図において、液晶パネル２４背面のシールドパネルには、アナログ基板Ａとデジタル基板Ｂとインバータ基板Ｃとが配置されている。デジタル基板Ｂは背面左側に上下に長く配向して配置され、インバータ基板Ｃは背面右端に上下に長く配向して配置され、中央部に略矩形の基板としてアナログ基板Ａが配置される。
【００３６】
アナログ基板Ａには、右側部から右下部にかけて電源回路１４が形成され、中央から左側部と上側部には音声信号処理回路１２が形成され、下側部には入出力回路１３が形成される。即ち、電源回路１４はアナログ基板においてインバータ基板Ｃに隣接する側に形成される。
【００３７】
また音声信号を増幅する音声アンプ１２ａは、アナログ基板Ａの中央よりやや左下に配置され、アナログ基板Ａの左下隅にはリモコンからの制御信号の伝送やセンサ基板Ｄ上のＬＥＤを点灯させる制御信号の伝送に使用されるケーブル６０ａを接続するコネクタ６０ｂが取り付けられる。このケーブル６０ａは、右架橋フレーム５２ｂの下辺橋脚部５２ａ３のコ字型となる部分の内部を通してセンサ基板Ｄのコネクタ６０ｃと接続されるため、架橋フレーム５２ａのエッジ部分と接触する可能性があり、予め切断防止用の保護チューブとしてのＵＬ（Underwriters Laboratories Inc.）チューブで覆われている。さらにアナログ基板Ａの中央下端には端子１３ａがコネクタ部を下方に向けて並べて配置されている。また、コネクタ６０ｂには、音声アンプ１２ａで増幅された音声信号もセンサ基板Ｄに出力している。このコネクタ６０ｂが第一コネクタを構成する。
【００３８】
デジタル基板Ｂには、映像信号処理のためのＩＣを有し、下端にデジタルチューナとＨＤＭＩ（エイチディーエムアイ・ライセンシング，エルエルシーの登録商標）端子がコネクタ部を下に向けて取り付けられている。このチューナとＨＤＭＩ端子とはキャビネット５０に形成される所定の穴から外部に露出する。デジタル基板Ｂとアナログ基板Ａとはケーブルで接続されており、各種信号が伝送される。
【００３９】
センサ基板Ｄでは、コネクタ６０ｃに入力される左右の音声信号をコネクタ６１ａ，６１ｂに伝送するパターンが形成され、このコネクタ６１ａ，６１ｂにリード線を接続したスピーカ５３ａ，５３ｂに増幅された音声信号が到達する。このリード線は粘着テープなどによりキャビネット５０に貼り付けられており、背面側に弛まないようにされている。また、センサ基板Ｄとアナログ基板Ａは基板面位置が異なるため、背面側から見てアナログ基板Ａや架橋フレーム５２ａ，５２ｂの位置に比してスピーカ５３ａ，５３ｂの位置は奥側に位置することになり、リード線は電源回路１４とは十分な沿面距離を有し、かつ架橋フレーム５２ａ，５２ｂのエッジ部分と干渉することも無い。即ち、リード線をＵＬチューブで覆う必要が無く、ＵＬチューブの使用によるコストアップが避けられる。このコネクタ６０ｃが第二コネクタを構成し、コネクタ６１ａ，６１ｂがそれぞれ左音声出力コネクタと右音声出力コネクタを構成する。
【００４０】
ここで、図５を参照してリード線をアナログ基板Ａから直接スピーカに延出した場合について説明する。図５は液晶テレビジョン１００のリアキャビネットを取り外して下斜め方向から見て示した斜視図である。背面より見て、アナログ基板Ａの略左端に沿って架橋フレームが上下に長く配置されている。このとき、右スピーカに音声信号を伝送するためには、アナログ基板Ａの何れの場所からリード線を延出しても必ず架橋フレームに接触する可能性がある。従ってリード線をＵＬチューブで覆う必要があり、コストアップが避けられない。
【００４１】
また、左スピーカに音声信号を伝送するには、アナログ基板Ａの左下からリード線を演出した場合は必ず架橋フレームと干渉するためＵＬチューブが必要となり、アナログ基板Ａ右端までパターンを形成して該右端からリード線を延出した場合は電源回路１４近傍に位置するためやはりＵＬチューブで覆う必要がある。また、端子１３ａの上方には該端子１３ａに信号を入出力するパターンが複数形成されているため、これらのパターンを迂回するようにパターンを形成する必要があるため、パターン長が長くなり、基板設計が難しくするデメリットも存在する。
【００４２】
ところで、センサ基板Ｄはとアナログ基板Ａとは同一のワーク基板Ｗ上に設計されて割り取られる。図６は、ワーク基板Ｗ上でのアナログ基板Ａとセンサ基板Ｄの配置関係を示した図である。アナログ基板Ａはワーク基板Ｗの幅ｌｗと同一の幅を持ち、ワーク基板Ｗの高さｌｈよりも短い高さｌＡを持つ。即ち、ワーク基板Ｗ上にアナログ基板Ａを形成すると、下に高さｌＤ、幅ｌＷの基板が残る。この残った基板上にセンサ基板Ｄとタクトスイッチ基板とが設計される。タクトスイッチ基板とは、液晶テレビジョン１００のキャビネット５０上面に露出してユーザの各種操作を受け付けるボタン（不図示）からの制御信号を受け付けて、マイコン２０に受け渡す回路が形成される基板である。ところが、ワーク基板Ｗにアナログ基板Ａとセンサ基板Ｄとタクトスイッチ基板とを形成しても図７の斜線部のように残る部分が存在する。即ち、センサ基板Ｄ上に、コネクタ６０ｃとコネクタ６１ａ、６１ｂとを接続するパターンを形成してセンサ基板Ｄが大きくなっても、従来使用していたワーク基板Ｗ上に十分に形成される。従って、センサ基板Ｄに新たなパターンを追加してもコストアップに繋がることは無い。
【００４３】
（３）まとめ： 
つまり、液晶パネル背面に配置されたアナログ基板Ａの下端と、キャビネットの液晶パネルより下に配置されるセンサ基板とを接続するケーブル６０ｃにて、音声信号をセンサ基板Ｄに伝送する。ケーグル６０ｃは予めＵＬチューブで覆われており、右架橋フレーム５２ｂの下辺橋脚部分５２ｂ３のコ字型の内部を通して接続される。そしてセンサ基板Ｄ上のパターンによりコネクタ６１ａ，６１ｂにリード線で接続されるスピーカ５３ａ，５３ｂに音声信号が伝送される。これにより、断線とコストアップとを避けつつ、スピーカと音声回路とをリード線で接続できる液晶テレビジョンを提供かのうとなる。
【００４４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４５】
【図１】本実施形態にかかる液晶テレビジョンの概略構成を示したブロック図である。
【図２】液晶テレビジョンを斜め前方より見た斜視図である。
【図３】液晶テレビジョンのリアキャビネットを外して背面より見た平面図である。
【図４】液晶テレビジョンのリアキャビネットおよび架橋フレームを取り外して背面より見た背面図である。
【図５】液晶テレビジョンのリアキャビネットを取り外して下斜め方向から見て示した斜視図である。
【図６】ワーク基板上でのアナログ基板とセンサ基板の配置関係を示した図である。
【図７】従来の小型の液晶テレビジョンのリアキャビネットを外してキャビネット内部を示した背面図である。
【符号の説明】
【００４６】
１…液晶テレビジョン  １ａ…キャビネット  ２…液晶パネル  ３…デジタル基板  ４…アナログ基板  ４ａ…インバータ回路  ４ｂ…電源回路  ４ｃ…ジャック  ４ｄ…チューナ  ４ｅ…アナログ信号処理回路  ４ｆ…音声アンプ  ５…センサ基板  ６…左スピーカ  ６ａ…コネクタ  ６ｂ…リード線  ６ｃ…ＵＬチューブ  ７…右スピーカ  ７ａ…コネクタ  ７ｂ…リード線
１００…液晶テレビジョン
１０…チューナ回路  １０ａ…アンテナ  １２…音声信号処理回路  １２ａ…音声アンプ  １３…入出力回路  １４…電源回路  １６…インバータ回路  １８…バックライト  ２０…マイコン  ２２…映像信号処理回路  ２４…液晶パネル  ２６…赤外線受光回路
２６ａ…リモコン
５０…キャビネット  ５０ａ、５０ｂ…スピーカ用穴  ５１…脚部  ５２ａ、５２ｂ…架橋フレーム  ５２ａ１、５２ｂ１…上辺橋脚部  ５２ａ２、５２ｂ２…橋脚部分  ５２ａ３、５２ｂ３…下辺橋脚部  ５３ａ…左スピーカ  ５３ｂ…右スピーカ  ５４ａ…上固定金具  ５４ｂ…下固定金具  ６０ａ…リード線  ６０ｂ…コネクタ  ６０ｃ…コネクタ  Ａ…アナログ基板  Ｂ…デジタル基板  Ｃ…インバータ基板  Ｄ…センサ基板
【図１】
2008078745.tif 000003
【図２】
2008078745.tif 000004
【図３】
2008078745.tif 000005
【図４】
2008078745.tif 000006
【図５】
2008078745.tif 000007
【図６】
2008078745.tif 000008
【図７】
2008078745.tif 000009